(57)【要約】【課題】従来の家畜トレーサビリティーシステム、獣医電子カルテシステム、生産支援システム等、個別のシステムの情報を１つの統合されたシステムとして集積し、誰もが自由に利用できるようにしたものであり、家畜を繁殖し、育成し、肥育し、乳などの畜産物を生産する農家と、獣医師とが、家畜ごとに管理された情報として、相互に生産情報や獣医療情報などの各種情報を記録し、編集し、さらには消費者も閲覧等できる管理システム及びプログラムを提供する。【解決手段】個々の家畜に与えられた個体識別符号を基に、農家が家畜を繁殖し、育成し、肥育し、乳などの畜産物を生産する過程で得た各種の情報と、獣医師が家畜を診療する過程で得た各種の情報とを、農家、獣医師のそれぞれが、通信回線を介してデータベースに接続された通信端末を用いて前記データベースに統一の情報として記録し、編集し、相互に閲覧等できることを特徴とする。【選択図】  図１
2014002679.tif 000002
【特許請求の範囲】
【請求項１】
通信端末に、
個々の家畜に装着されたＲＦＩＤ電子タグに記録された個体識別符号を読み取ったＲＦＩＤリーダーから個体識別符号を受信するステップと、
個体識別符号を、通信回線を介して接続されたデータベースに送信するステップと、
データベースに保存されている複数の家畜の個体識別符号の中から、該当する個体識別符号を照合するステップと、
該当した個体識別符号を基に、当該個体識別符号が付与された家畜に関する電子ファイルをデータベースからダウンロードするステップと、
家畜を繁殖し、育成し、肥育し、乳などの畜産物を生産する過程で各種計測機器によって計測された各計測情報の電気信号を受信するステップと、
電気信号を、ダウンロードした家畜に関する電子ファイルに保存するステップと、
電気信号を、換算式を用いて各計測機器の数値に換算するステップと、
電気信号または各計測機器の数値を電子ファイルに保存するステップと、
電子ファイルを、通信回線を介して接続されたデータベースに送信するステップと、
を実行させることを特徴とする家畜の生産情報、獣医療情報等の各種情報の統合管理プログラム。
【請求項２】
通信端末に、
個々の家畜に装着されたＲＦＩＤ電子タグに記録された個体識別符号を読み取ったＲＦＩＤリーダーから個体識別符号を受信するステップと、
個体識別符号を、通信回線を介して接続されたデータベースに送信するステップと、
データベースに保存されている複数の家畜の個体識別符号の中から、該当する個体識別符号を照合するステップと、
該当した個体識別符号を基に、当該個体識別符号が付与された家畜に関する電子ファイルをデータベースからダウンロードするステップと、
家畜を診療して作成された診察記録、治療記録、投薬記録等の各種情報を、電子ファイルに保存するステップと、
電子ファイルを、通信回線を介して接続されたデータベースに送信するステップと、
を実行させることを特徴とする家畜の生産情報、獣医療情報等の各種情報の統合管理プログラム。
【請求項３】
通信端末に、
各種情報を検索するための検索条件を入力し、または通信回線を介して接続されたデータベースから検索条件のリストを読み込んで検索条件を選択するステップと、
入力し、または選択された検索条件を、データベースに送信するステップと、
データベースに、該当する家畜を照合させるステップと、
該当する家畜に関する電子ファイルをデータベースからダウンロードするステップと、
電子ファイルを通信端末の画面上に表示させるステップと、
を実行させることを特徴とする家畜の生産情報、獣医療情報等の各種情報の統合管理プログラム。
【請求項４】
通信端末に、
データベースに保存されているモデル式をデータベースから読み込むステップと、
読み込んだモデル式に家畜の体重などのパラメーターを入力し、またはデータベースからパラメーターのリストを読み込んで選択するステップと、
入力し、または選択されたパラメーターを、データベースに送信するステップと、
データベースに、モデル式に基づいて予測数値を算出させるステップと、
算出された数値を通信端末の画面上に表示するステップと、
を実行させることを特徴とする家畜の生産情報、獣医療情報等の各種情報の統合管理プログラム。
【請求項５】
通信端末に、
家畜の個体識別符号をデータベースに送信するステップと、
個体識別符号を基に該当する家畜をデータベースに照合させるステップと、
該当する家畜に必要な栄養要求量をデータベースに保存されているテーブルと照合するステップと、
該当する家畜に必要な栄養要求量を読み込むステップと、
家畜に給与する飼料の種類を入力し、またはデータベースから飼料の種類のリストを読み込んで選択するステップと、
データベースに保存されている飼料成分表に基づいて単位給与量あたりの栄養成分をデータベースに算出させるステップと、
栄養要求量と栄養成分料を基に給与量をデータベースに算出させるステップと、
算出された数値を通信端末の画面上に表示するステップと、
を実行させることを特徴とする家畜の生産情報、獣医療情報等の各種情報の統合管理プログラム。
【請求項６】
請求項１乃至５のいずれかのプログラムを用いて、
個々の家畜に与えられた個体識別符号を基に、
農家が家畜を繁殖し、育成し、肥育し、乳などの畜産物を生産する過程で得た各種の情報と、
獣医師が家畜を診療する過程で得た各種の情報とを、
農家、獣医師のそれぞれが、
通信回線を介してデータベースに接続された通信端末を用いて前記データベースに統一の情報として記録し、編集し、相互に閲覧等できる
ことを特徴とする家畜の生産情報、獣医療情報等の各種情報の統合管理システム。
【発明の詳細な説明】
【技術分野】
【０００１】
本発明は、従来、家畜トレーサビリティーシステム、獣医電子カルテシステム、生産支援システム等、個別のシステムにおいて、それぞれが独立した情報として蓄積、管理され、それぞれ一部の者にしか利用が認められていなかった各システムの情報を、１つの統合されたシステムとして集積し、誰もが自由に利用できるようにしたものであり、家畜を繁殖し、育成し、肥育し、乳などの畜産物を生産する農家と、獣医師とが、家畜ごとに管理された情報として、相互に生産情報や獣医療情報などの各種情報を記録し、編集し、さらには消費者も閲覧等できる管理システムであり、このシステムを、通信回線に接続された通信端末（携帯電話やパソコンなど）を使って実現するプログラムに関する。
【背景技術】
【０００２】
従来から、消費者等が、ホームページにアクセスし、所望の農産物に付与されたＩＤ番号を送信すると、その農産物の生産地、生産者名、品種、栽培方法、収穫日、品質情報等の情報を容易に知ることができるようにしたトレーサビリティーシステムが知られている（特許文献１）。
【０００３】
また、獣医師の診療を補助するための電子カルテをASP化し、飼育者がその情報を参照することを可能とする電子カルテシステムが知られている（特許文献２）。
【０００４】
さらには、牛などの乳用家畜の搾乳時の乳量データを得て、このデータを処理することによって家畜に適切な給餌量データを生成し、そのデータをもって自動給餌器を作動させ家畜に適切な給与量の飼料を給仕する装置などの生産者支援システムが知られている（特許文献３）。
【先行技術文献】
【特許文献】
【０００５】
【特許文献１】特許第３３５３６６号
【特許文献２】特許公開２００９−０３２２１６号
【特許文献３】特許公開２００９−１１２２０７号
【発明の概要】
【発明が解決しようとする課題】
【０００６】
ところが、上述したトレーサビリティーシステム、電子カルテシステム、生産者支援システムには、次の課題が存在する。
【０００７】
トレーサビリティーシステムは、家畜などの生産物の出生地、両親の個体番号、飼育場所（農場の名称、住所など）、移動の履歴、屠畜の日時および場所などの限られた情報を提供するのみで、獣医師による診療の記録、投薬の履歴などの情報までは含まれていなかった。
【０００８】
電子カルテシステムは、情報セキュリティーの問題から、診療に携わる獣医師などの限られた者しか情報にアクセスできず、消費者や生産者などが容易にアクセスして閲覧等することができなかった。
【０００９】
生産者支援システムは、生産者が、適切な給餌量や自己の経営する農場の経営改善に資するよう活用するための方策が与えられているが、獣医師や消費者などがその情報を活用することはできなかった。
【００１０】
本発明は、上記課題を解決するため、従来、家畜トレーサビリティーシステム、獣医電子カルテシステム、生産支援システム等、個別のシステムにおいて、それぞれが独立した情報として蓄積、管理され、それぞれ一部の者にしか利用が認められていなかった各システムの情報を、１つの統合されたシステムとして集積し、誰もが自由に利用できるようにしたものであり、家畜を繁殖し、育成し、肥育し、乳などの畜産物を生産する農家と、獣医師とが、家畜ごとに管理された情報として、相互に生産情報や獣医療情報などの各種情報を記録し、編集し、さらには消費者も閲覧等できる管理システムであり、このシステムを、通信回線に接続された通信端末（携帯電話やパソコンなど）を使って実現するプログラムを提供することを課題とする。
【課題を解決するための手段】
【００１１】
本発明は、
通信端末に、
個々の家畜に装着されたＲＦＩＤ電子タグに記録された個体識別符号を読み取ったＲＦＩＤリーダーから個体識別符号を受信するステップと、
個体識別符号を、通信回線を介して接続されたデータベースに送信するステップと、
データベースに保存されている複数の家畜の個体識別符号の中から、該当する個体識別符号を照合するステップと、
該当した個体識別符号を基に、当該個体識別符号が付与された家畜に関する電子ファイルをデータベースからダウンロードするステップと、
家畜を繁殖し、育成し、肥育し、乳などの畜産物を生産する過程で各種計測機器によって計測された各計測情報の電気信号を受信するステップと、
電気信号を、ダウンロードした家畜に関する電子ファイルに保存するステップと、
電気信号を、換算式を用いて各計測機器の数値に換算するステップと、
電気信号または各計測機器の数値を電子ファイルに保存するステップと、
電子ファイルを、通信回線を介して接続されたデータベースに送信するステップと、
を実行させることを特徴とする家畜の生産情報、獣医療情報等の各種情報の統合管理プログラムである。
【００１２】
本発明は、
通信端末に、
個々の家畜に装着されたＲＦＩＤ電子タグに記録された個体識別符号を読み取ったＲＦＩＤリーダーから個体識別符号を受信するステップと、
個体識別符号を、通信回線を介して接続されたデータベースに送信するステップと、
データベースに保存されている複数の家畜の個体識別符号の中から、該当する個体識別符号を照合するステップと、
該当した個体識別符号を基に、当該個体識別符号が付与された家畜に関する電子ファイルをデータベースからダウンロードするステップと、
家畜を診療して作成された診察記録、治療記録、投薬記録等の各種情報を、電子ファイルに保存するステップと、
電子ファイルを、通信回線を介して接続されたデータベースに送信するステップと、
を実行させることを特徴とする家畜の生産情報、獣医療情報等の各種情報の統合管理プログラムである。
【００１３】
本発明は、
通信端末に、
各種情報を検索するための検索条件を入力し、または通信回線を介して接続されたデータベースから検索条件のリストを読み込んで検索条件を選択するステップと、
入力し、または選択された検索条件を、データベースに送信するステップと、
データベースに、該当する家畜を照合させるステップと、
該当する家畜に関する電子ファイルをデータベースからダウンロードするステップと、
電子ファイルを通信端末の画面上に表示させるステップと、
を実行させることを特徴とする家畜の生産情報、獣医療情報等の各種情報の統合管理プログラムである。
【００１４】
本発明は、
通信端末に、
データベースに保存されているモデル式をデータベースから読み込むステップと、
読み込んだモデル式に家畜の体重などのパラメーターを入力し、またはデータベースからパラメーターのリストを読み込んで選択するステップと、
入力し、または選択されたパラメーターを、データベースに送信するステップと、
データベースに、モデル式に基づいて予測数値を算出させるステップと、
算出された数値を通信端末の画面上に表示するステップと、
を実行させることを特徴とする家畜の生産情報、獣医療情報等の各種情報の統合管理プログラムである。
【００１５】
通信端末に、
家畜の個体識別符号をデータベースに送信するステップと、
個体識別符号を基に該当する家畜をデータベースに照合させるステップと、
該当する家畜に必要な栄養要求量をデータベースに保存されているテーブルと照合するステップと、
該当する家畜に必要な栄養要求量を読み込むステップと、
家畜に給与する飼料の種類を入力し、またはデータベースから飼料の種類のリストを読み込んで選択するステップと、
データベースに保存されている飼料成分表に基づいて単位給与量あたりの栄養成分をデータベースに算出させるステップと、
栄養要求量と栄養成分料を基に給与量をデータベースに算出させるステップと、
算出された数値を通信端末の画面上に表示するステップと、
を実行させることを特徴とする家畜の生産情報、獣医療情報等の各種情報の統合管理プログラムである。
【００１６】
請求項１乃至５のいずれかのプログラムを用いて、
個々の家畜に与えられた個体識別符号を基に、
農家が家畜を繁殖し、育成し、肥育し、乳などの畜産物を生産する過程で得た各種の情報と、
獣医師が家畜を診療する過程で得た各種の情報とを、
農家、獣医師のそれぞれが、
通信回線を介してデータベースに接続された通信端末を用いて前記データベースに統一の情報として記録し、編集し、相互に閲覧等できる
ことを特徴とする家畜の生産情報、獣医療情報等の各種情報の統合管理システムである。
【発明の効果】
【００１７】
１）法令によって、抗生物質等の薬物が投与された家畜からは、投与後一定時間内の搾乳が禁止されているが、農家が搾乳時に直近の獣医診療情報を閲覧できることで、搾乳してはならない家畜を直ちに認識することができる結果、意図せずして搾乳された乳に禁止薬物が混入する事故を未然に防ぐことができる。
【００１８】
２）獣医師が家畜を診療する際、その家畜の系統、最近の搾乳状況、飼料給餌状態を、農家等から聞くまでもなく、速やかに的確に把握し、適切な診療を可能とし、診療時間を大幅に短縮できる。
【００１９】
３）家畜が屠殺され、食肉として流通する際に、消費者は家畜の個体識別符号を基に、その家畜が投与された薬物の履歴などの情報を簡単に得ることが出来る。
【００２０】
４）本発明に係るシステムに集積されたデータを大学や試験研究機関等が多変量解析などの手段を用いて解析することにより、特定の病気の発生が多い遺伝系統を発見できるなど、家畜育種に必要な有益な二次情報を得ることができる。
【図面の簡単な説明】
【００２１】
【図１】本発明のシステム概要図
【図２】「乳量記録機能」の使用手順を示すフロー図
【図３】電子ファイルの整理、保存手順を示したフロー図」
【図４】家畜情報の閲覧手順を示すフロー図
【図５】乳量の予測の使用手順を示すフロー図
【図６】給与飼料の設計の使用手順を示すフロー図
【図７】「生産獣医療支援機能」の使用手順を示すフロー図
【図８】獣医師による診療情報の入力手順を示すフロー図
【発明を実施するための形態】
【００２２】
本発明の実施の形態について図面を用いて説明する。
【００２３】
図１は、本発明のシステム概要図である。
本発明は、従来の家畜トレーサビリティーシステム、獣医電子カルテシステム、生産支援システム等の各システムにおいて蓄積された個々の情報を、１つの統合されたシステムとして集積し、利用できるようにしたものであり、家畜を繁殖し、育成し、肥育し、乳などの畜産物を生産する農家と、獣医師とが、通信回線に接続された通信端末（携帯電話やパソコンなど）を使うことで、システム上の全ての情報を自由に閲覧、記録、編集できるものである。
本発明に係るシステムを利用するにあたっては、通信端末が、「山羊基本情報登録機能」、「交配記録機能」、「出産記録機能」、「体重記録機能」、「乳量記録機能」、「生産獣医療支援機能」などの各機能を有するアプリケーションプログラム（以下「ソフトウェア」という。）がインストールされている必要がある。
農家や獣医師は、このソフトウェアがインストールされた通信端末を使って、データベースにアクセスし、データベース上の種々の情報を閲覧、記録、編集できる。
データベース上に記録される情報は、家畜にあらかじめ装着されているRFID電子タグに記録された個体識別符号を基に管理される。
個体識別符号は、RFIDリーダーによって読み取られるが、このRFIDリーダーと通信回線で接続された通信端末に送信される。
また、乳量計、体重計などの各種計測機器によって計測された情報は、各種計測機器に接続された通信機器によって電気信号として通信端末に送信される。
通信端末は、通信回線を介して、家畜ごとに与えられた個体識別符号と、各種計測機器によって計測された情報とを、データベースに記録する。
【００２４】
図２は、ソフトウェアの「乳量記録機能」を実行する場合の処理の流れを示すフロー図である。
以下、フロー図を用いて、その手順を説明する。
農家または獣医師（以下、農家か獣医師の区別をしないときは、単に「作業者」という。）は、RFIDリーダーを用いてRFID電子タグを読み取る。
RFID電子タグに記録されている個体識別符号は、RFIDリーダーから通信端末に送信される。
これと同様に、計測機器である乳量計が取得した乳量を表す電気信号は、乳量計に接続された通信機器を介して乳量計から通信端末に送信される。
作業者は、乳量を表す電気信号を、通信端末にインストールされたソフトウェアの乳量記録機能を用いて、RFID電子タグから読み取った個体識別符号を基に、この符号に一致する家畜に関する乳量計の情報として記録する。
乳量計から得られた電気信号は、あらかじめ指定された検量線などの換算式を用いて乳量に換算することができる。
通信端末は、家畜の乳量、搾乳所要時間などの情報を、一定の形式の電子ファイルとして保存することができる。
この電子ファイルは、ヘッダー部分に使用した機材の固有番号、搾乳を行なった作業者のID番号が記載されており、さらに家畜の個体識別符号、搾乳開始時刻、搾乳終了時刻、搾乳所要時間、乳量が行列となって表示することができる。
この電子ファイルは、通信端末を介してデータベースに送信される。
【００２５】
図３は、データベースが受信した電子ファイルを整理し、保存する流れを示したフロー図である。
データベースは、送信した電子ファイルを個体識別符号ごとに分類し、電子ファイルに記載されている情報を情報の種別ごとに時系列で並べ替えて、保存できる。
【００２６】
図４は、作業者が肥育等する家畜に関する情報を閲覧する手順を示すフロー図である。
作業者は、ソフトウェアがインストールされた通信端末を使って、家畜の情報を閲覧できる。
作業者は、通信端末にインストールされているソフトウェアを起動する。
ソフトウェア上で、データを表示する条件（特定の家畜のみであるとか、特定の期間、乳量の多い順もしくは少ない順などの検索条件）を入力すると、その検索条件に該当する家畜の情報が表示される。
さらに、このソフトウェアによれば、家畜の情報の分析などもでき、乳量の予測では、これまでに知られている予測モデル式を用いて予測を行うこともできる。
【００２７】
図５は、作業者が乳量を予測する際の手順を示すフロー図である。
データベースには、あらかじめ、これまでに報告されているモデル式が保存されている。
作業者は、ソフトウェアを起動させ、対話式などの方式によってモデル式が求める家畜の体重などのパラーメーターを入力し、もしくは、データベースに格納されている作業者が肥育等する家畜の情報から選択する。
必要なパラーメーターが揃うと、ソフトウェアはモデル式に基づいて予測の演算を行い、予測乳量を算出する。
算出された予測乳量は、画面上に表示される。
【００２８】
図６は、作業者が給与飼料の設計を行う際の手順を示すフロー図である。
作業者は、ソフトウェアを起動させ、前記の乳量の予測と同様に、対話式などの方式によって、必要なパラメーターを入力、選択していく。
ソフトウェアは、データベースに記憶されている栄養要求量の表を基に、家畜が必要とする栄養要求量を算出し、栄養要求量を示す行列を出力する。
さらに、作業者は、家畜に給与する飼料の種類を一覧表から選択する。
ソフトウェアは、データベースに記憶されている飼料成分表から単位給与量あたりの栄養成分を行列形式で出力する。
さらに、ソフトウェアは、栄養要求量行列と、栄養成分料行列と給与量行列（飼料を何グラムづつ給与するかを行列で表現したもの）の積が等しくなる給与量行列を計算する。
これにより、最適な給与飼料の設計を行うことができる。
【００２９】
図７は、獣医師がソフトウェアの「生産獣医療支援機能」を使って、家畜の体重、乳量などの情報を参照する手順を示すフロー図である。
獣医師は、ソフトウェアの「生産獣医療支援機能」を使って、家畜の体重、乳量などの情報を参照することができる。
獣医師は、通信端末にインストールされているソフトウェアを起動させることで、通信端末と、RFID電子タグに記録された個体識別符号を読み取るRFIDリーダーとが通信回線を通じて接続され、RFIDリーダーで読み込まれた個体識別符号が通信端末に送信される。
通信端末は、獣医師のID番号などの情報と共に家畜の個体識別符号を、通信回線を通じて接続されているデータベースに送信する。
データベースは、獣医師のID番号をデータベースが記憶しているリストと照合し、アクセス資格があるかどうかを判断し、リストに一致するＩＤが存在する場合は、アクセス資格ありと判断し、個体識別符号が付与された家畜に関して保存されている乳量、体重などの情報を通信端末に送信する。
【００３０】
図８は、獣医師が、家畜を診療した際の記録として、投薬などの記録情報を入力する手順を示すフロー図である。
獣医師は、家畜を診療した際の記録として、投薬などの記録情報を、以下の手順で入力することができる。
獣医師の通信端末にインストールされているソフトウェアには、対話形式によって診療情報を入力できるようなメニューがある。
たとえば、獣医師は、ソフトウェア上で、傷病名を記載するためのメニューを選択する場合、ソフトウェアは、データベースに保存されている病名のリストとそれに対応する番号（病名ID）の表（テーブル）をダウンロードする。
この表は、獣医師の通信端末にドロップダウンリストのなどの形で表示され、獣医師は、これを選択することで利用できる。
選択した病名に対応する病名IDは、家畜の個体識別符号、獣医師のIDなどの情報が記載されている電子ファイルとしてデータベースに送信される。
送信された電子ファイルは、データベースによって個体識別符号ごとに分類され、受信した電子ファイルに記載されている情報を情報の種別ごとに時系列で並べ替られる。
同様に、家畜の症状、処置、投薬した薬剤名などの情報もデータベースに送信され、記憶される。
データベースでは、通信端末から送信された病名の情報、処置の情報、投薬した薬剤の情報を家畜ごと、一回の診療ごとに統合し、電子カルテとして生成する。
電子カルテは、家畜個体識別符号、診療年月日、診療した獣医師のID、氏名、家畜の症状、処置、傷病名、投薬した薬剤の情報が記録された電子ファイルとして保存される。
【００３１】
次に、データベースが記憶する情報の種類と役割について説明する。
データベースには、家畜の個体ごと、種類ごとに情報が整理されて、保存されることが重要である。
そこで、データベースは、情報を整理するためのインデックスとなるリスト（作業者リスト、牧場リスト、機材リストなど）、整理された情報を保存するためのファイル、整理された情報を分析する際に参照する既知の数学モデルや数表や、獣医師の診療情報を記録するための傷病名と傷病IDなどのテーブルを記憶している。
データベースが記憶しているリストの種類は、次のとおりである。
作業者の識別符号、氏名、生年月日、獣医師、家畜人工授精師などの保有資格が記載された「作業者リスト」、関係する牧場の名称、所在地などが記載された「牧場リスト」、通信端末と接続することが出来る機材の識別符号、所在地、所有者などが記載された「機材リスト」、個体識別符号（個体識別符号は12桁程度で重複することはないが、通常の管理で使用するには煩雑である）と家畜の号名、各牧場で使用されている管理番号（３桁以内の番号で日常の管理で使用する番号、この番号は重複する可能性がある）が記載された「個体識別符号リスト」。
通信端末から送信された乳量、体重、診療に関する情報は、上記のリストを基に、個体識別符号で分類し、受信した電子ファイルに記載されている情報を情報の種別ごとに時系列で並べ替えて、データベース上の次のファイルに格納される。
家畜の生年月日、両親の個体識別符号、出産の記録などの基本的情報が格納される「家畜基本情報ファイル」、交配の際に記録される父、母の個体識別符号や人工授精の際に使用した精液ストローの番号や家畜人工授精師の免許番号などの情報が格納される「交配情報ファイル」、出産の際に記録される出生日、両親の個体識別符号、誕生を確認した者の氏名などの情報が格納される「出産情報ファイル」、家畜の体重、測定年月日、測定に使用した機材の識別符号などか格納される「体重情報ファイル」、搾乳の際の乳量、搾乳日時、搾乳作業者、搾乳に使用した機材の識別番号などが格納される「乳量情報ファイル」、獣医師の診療の際に記録される傷病名、症状、処置、使用した薬剤などの情報が格納される「診療情報ファイル」。
さらに、データベースには、上記のファイルを基に分析を行う際に参照する、「飼料成分表」、「NRC飼養標準」、「標準泌乳曲線」、「傷病名テーブル」、「症状テーブル」、「処置テーブル」、「薬剤テーブル」、「診療報酬テーブル」などが記憶されている。
【００３２】
本発明は、山羊や羊など、個体ごとに識別番号を付与することが制度化されていない家畜種においても、家畜にRFID電子タグを装着し、農家、獣医師にソフトウェアがインストールされた通信端末を利用することで有効に活用できる。
【００３３】
また、近年は、畜産に関連する装置同士の情報共有であるM2Mに対応した情報入出力デバイスを備えるものが多くなってきているが、本発明は畜産分野におけるM2Mクラウドの基盤として機能することが期待できる。
【図１】
2014002679.tif 000003
【図２】
2014002679.tif 000004
【図３】
2014002679.tif 000005
【図４】
2014002679.tif 000006
【図５】
2014002679.tif 000007
【図６】
2014002679.tif 000008
【図７】
2014002679.tif 000009
【図８】
2014002679.tif 000010